(57)【要約】      （修正有）【課題】音波を使用することによりヘルツ機能水を作製する装置を提供する。【解決手段】音波法を使用してヘルツ機能水を作製する装置の特別な部分は制御回路部と音波の送信部を主に含むところであり、制御回路部は、出力パルスレベル信号、音波を生成するために使用され、音波の送信部は、パルスレベル信号を音波に転換して外部に放射し、制御回路部は、ＭＣＵ制御部と、ＭＣＵ制御部の周囲に配置され、電気的に接続された高精度電源、発振回路、サンプリング・校正回路、増幅回路を含み、サンプリング・校正回路は増幅回路のフロントエンドに配置され、最終的に増幅回路を介して増幅されたパルス信号を出力する。【選択図】図２
0003228852.tif 000002
【実用新案登録請求の範囲】
【請求項１】
音波法を使用してヘルツ機能水を作製する装置の特別な部分は制御回路部Ａと音波の送信部Ｂを主に含むところであり、制御回路部Ａは、出力パルスレベル信号、音波を生成するために使用され、  音波の送信部Ｂは、パルスレベル信号を音波に転換して外部に放射し、
制御回路部Ａは、ＭＣＵ制御部と、ＭＣＵ制御部の周囲に配▲置▼され、電気的に接▲続▼された高精度電源、発振回路、サンプリング・校正回路、増幅回路を含み、サンプリング・校正回路は増幅回路のフロントエンドに配置され、最▲終▼的に増幅回路を介して増幅されたパルス信号を出力することを特徴とする音波を使用してヘルツ機能水を作製するための装置。
【請求項２】
音波の送信部は、磁気コアと、磁気コアの外周に巻かれたコイルと、コイルの外周に巻き付けられたコイルプロテクターと、コイルの端から所定の距離に▲細▼い端部が設けられている薄い鉄板とからなり、増幅されたパルス信号は音波の送信部のコイルの両端に接▲続▼され、磁気コアの両端に交互の磁界が発生し、その磁界の作用により薄い鉄板が振動し、音波を発生させて外部に放射することを特徴とする請求項１に記載した音波を使用してヘルツ機能水を作製するための装置。
【請求項３】
音波送信部はブザーや電磁スピーカーを採用することを特徴とする請求項１に記載した音波を使用してヘルツ機能水を作製するための装置。
【請求項４】
高精度電源でＭＣＵ制御部に電力を供▲給▼し、発振回路で高周波発振信号を生成して、ＭＣＵ制御部に出力し、ＭＣＵ制御部で高周波発振信号を分周して、処理された▲低▼周波信号を増幅に出力し、増幅回路のフロントエンドにあるサンプリング校正回路を通して▲低▼周波信号を校正してから、ＭＣＵ制御部に送り返し、ＭＣＵ制御部が取得した▲低▼周波信号を校正した後、信号は増幅回路に出力され、信号は増幅され、最後に、増幅されたパルス信号は増幅回路により音波の送信部に出力されることを特徴とする請求項２に記載した音波を使用してヘルツ機能水を作製するための装置。
【請求項５】
制御回路部が出力するパルス信号の周波数は７．０Ｈｚ〜８．２Ｈｚだということを特徴とする請求項１に記載した音波を使用してヘルツ機能水を作製するための装置。
【考案の詳細な説明】
【技術分野】
【０００１】  本考案は、ヘルツ機能水を作製するための装置、特に、音波法を使用してヘルツ機能水を作製するための装置に関するものである。
【背景技術】
【０００２】  一般的な家庭用水は、水道水、▲純▼水、ミネラルウォーター、天然水など、水素▲結▼合により、これらの通常の飲料水分子は単一のＨ２Ｏ分子としては存在していないだが、互いに水分子の大きなクラスターに▲結▼合できて、一般に、水は３６〜３７個水分子から構成される分子クラスターとして存在する。この大きな分子クラスターは、体内の生▲化▼学反応にほとんど関▲与▼せず、油質代謝が不十分である。【０００３】  水分子クラスターが小さければ小さいほど、水はより活発になり、吸収されやすくなる。通常の水と比較して、小さな分子クラスターを持つ水は、浸透力、拡散力、および溶解力を強く持っている。フリーラジカルの除去、▲組▼▲織▼▲細▼胞の活性▲化▼、老▲化▼の遅延、解毒、お肌が美しくなることなどについて、明らかな効果があり、世界保健機関によって２１世▲紀▼の健康的な水と見なされている。【０００４】  ヘルツ機能水は小さな分子クラスター水の一種類で、周波数７．０Ｈｚから８．２Ｈｚの電磁波または音波技術を利用して通常の水を処理する活性▲化▼水である。【０００５】  一般的な水の活性▲化▼方法は、電極と磁石の磁性と高圧に依存して水を活性▲化▼する。  これらの方法の欠点は、二次汚染の可能性を水にもたらしながら処理するために水と接触する必要があるかもしれない、またはそれを達成するために非常に大きな装置を必要とすることである。  また、一部の機器には、トルマリン、ホウ酸、硫酸クロムカリウム、酸▲化▼第二鉄、石英、硝酸ニッケルを添加した材料を使用しており、製造工程や使用工程において人体に安全衛生上のリスクをもたらす。電磁方式を採用した場合、電磁波による水質汚染の可能性もある。
【考案の開示】
【考案が解決しようとする課題】
【０００６】  一般的な水の活性▲化▼方法は、電極と磁石の磁性と高圧に依存して水を活性▲化▼する。  これらの方法の欠点は、二次汚染の可能性を水にもたらしながら処理するために水と接触する必要があるかもしれない、またはそれを達成するために非常に大きな装置を必要とすることである。  また、一部の機器には、トルマリン、ホウ酸、硫酸クロムカリウム、酸▲化▼第二鉄、石英、硝酸ニッケルを添加した材料を使用しており、製造工程や使用工程において人体に安全衛生上のリスクをもたらす。電磁方式を採用した場合、電磁波による水質汚染の可能性もある。
【課題を解決するための手段】
【０００７】  背景技術に記載された問題に鑑み、本考案は簡単、安全な活性▲化▼水を作製する装置を提供することである。この方法は▲低▼エネルギー、７．０Ｈｚから８．２Ｈｚの音周波数の▲低▼周波音波を使用して、水本体との接触がなく、活性▲化▼効果が非常に良いである。【０００８】  本発明が採用する技術ソリューションは以下の通りである。
音波法を使用してヘルツ機能水を作製するための装置は、主に制御回路部Ａと音波の送信部Ｂを含み、制御回路部Ａは、出力パルスレベル信号、音波を生成するために使用されて、音波の送信部Ｂは、パルスレベル信号を音波に変換して外部に放射するために使用される。【０００９】  制御回路部Ａは、ＭＣＵ制御部と、ＭＣＵ制御部の周囲に配置され、電気的に接▲続▼された高精度電源、発振回路、サンプリング・校正回路、増幅回路を含み、サンプリング・校正回路は増幅回路のフロントエンドに配置され；最▲終▼的に増幅回路を介して増幅されたパルス信号を出力する。【００１０】  音波の送信部Ｂは、磁気コアＢ１と、磁気コアＢ１の外周に巻かれたコイルＢ２と、コイルＢ２の外周に巻き付けられたコイルプロテクターＢ３と、磁気コアＢ１の一端に薄い鉄片が設けられている薄い鉄板Ｂ４とからなり、薄い鉄板Ｂ４と磁気コアＢ１の間のギャップは２ｍｍから５ｍｍである。【００１１】  増幅されたパルス信号は、音波の送信部ＢのコイルＢ２の両端に接▲続▼され、磁気コアの両端に極性が交互する磁場が発生し、磁場の作用により薄い鉄板Ｂ４が振動し、音波を発生させて外部に放射する。音波の周波数は、接▲続▼されたパルス信号の周波数と同じである。【００１２】  高精度電源でＭＣＵ制御部に電力を供給し、発振回路で高周波発振信号を生成して、ＭＣＵ制御部に出力し、ＭＣＵ制御部で高周波発振信号を分周して、処理された▲低▼周波信号を増幅回路に出力し、増幅回路のフロントエンドにあるサンプリング校正回路を通して▲低▼周波信号を校正してから、ＭＣＵ制御部に送り返す。ＭＣＵ制御部が取得した▲低▼周波信号を校正した後、信号は増幅回路に出力され、信号は増幅され、最後に、増幅されたパルス信号は増幅回路により音波の送信部Ｂに出力される。【００１３】  制御回路部Ａが出力するパルス信号の周波数は７．０Ｈｚから８．２Ｈｚである。【００１４】  薄い鉄板Ｂ４は、使用中に錆を防ぐために表面にニッケルメッキする必要がある。【００１５】  少量の水を作製する場合は、音波の送信部Ｂをブザーや電磁スピーカーに置き換え可能である。
【考案の効果】
【００１６】  本考案の音波法を用いたヘルツ機能水を作製する装置は、▲低▼エネルギー、▲低▼周波の音波のみを使用し、水と接触せず、水への接触汚染を防止した。さらに、本考案の装置は、人間の健康にとってより安全で、任意の構成の他の材料を使用しない。装置で処理された水は、大きな分子クラスターから小さな分子クラスターに変▲化▼し、大きな分子クラスターは小さくなり、５〜６個の水分子のみを含む小さな分子クラスターになり、活性▲化▼効果が向上する。
【図面の簡単な説明】
【００１７】
【図１】本考案による、音波を使用してヘルツ機能水を作製するための装置の全体構造の概略図。
【図２】制御回路の一部の概略図。
【図３】音波の送信部の構造の概略図。
【図４】ブザーまたはスピーカー構造の概略図。
【考案を実施するための形態】
【００１８】  以下は、本考案の構造的構成、設計原理、および操作プロセスをさらに詳▲細▼に示すために使用される添付の図面を参照して、本考案の特定の実施形態を提供する。
【実施例】
【００１９】  実施例一
図１に示すように、音波法を用いてヘルツ機能水を作製する装置は、制御回路部Ａと音波の送信部Ｂとを備えている。装置全体を水の上、横、下に置くことができ、より柔軟に使用できる。制御回路部ＡはＭＣＵチップと周辺回路で構成され、主にＭＣＵ内部プログラムの動作により７．０Ｈｚ〜８．２Ｈｚの必要周波数のパルスレベル信号を出力する。このパルス信号は、制御回路内の増幅回路で増幅されて、増幅された周波数７．０Ｈｚ〜８．２Ｈｚのパルス信号は、音波の送信部部Ｂに出力される。
具体的には、図２は、制御回路部Ａの詳▲細▼構成回路ブロック図である。高精度電源、ＭＣＵ制御部、発振回路、サンプリング・校正回路、増幅回路で構成されている。高精度電源がＭＣＵ制御部に電力を供給した後、発振回路が発振を開始して高周波発振信号を生成し、ＭＣＵ制御部に出力する。ＭＣＵ制御部内のプログラムは、高周波信号を分割して７．０Ｈｚから８．２Ｈｚの▲低▼周波信号にして、▲低▼周波信号は増幅回路に出力されて増幅される。増幅回路のフロントエンドにはサンプリングおよび校正回路がある。サンプリング回路は出力▲低▼周波信号を取得して校正を行う。校正信号はＭＣＵ制御部に出力され、ＭＣＵ制御部は内部で校正を取得して、信号が出力▲低▼周波信号用に校正された後、非常に安定した周波数の▲低▼周波信号を得ることができる。増幅回路で増幅された▲低▼周波信号は、音波の送信部Ｂに出力され、音波の送信部Ｂは、パルス信号を音波に変換して出力する。
音波の送信部Ｂの構造設計を図３に示す。これは、磁気コアＢ１、コイルＢ２、コイルプロテクターＢ３、および薄い鉄板Ｂ４で構成されている。薄い鉄板Ｂ４は、使用中に錆を防ぐために表面にニッケルメッキする必要がある。増幅されたパルス信号はコイルＢ２の両端に接▲続▼され、磁気コアＢ１の両端に交互磁界が発生して、交互磁界の影響で薄い鉄板Ｂ４が振動し、したがって、音波が発生し、この音波が隣の水に作用することで、水を作製することができる。作製時間は３分以上必要である。【００２０】  実施例二
本実施例は、実施例一とは異なり、２０００ｍｌ以下の少量の水を作製するときに、図４に示されるように、音波の送信部Ｂが１つのベーカーまたは電磁式スピーカーＢ５から構成されることができる。２０００ｍｌを超える水量の場合、水量に応じて、少なくとも２つ以上のブザーまたは電磁式スピーカーＢ５を使用する必要がある。作製時間は３分以上必要である。
ヘルツ機能水を準備する装置の機能を確認するために、以下の実験と表のデータを通じて説明する。【００２１】  対比実験例一
実験の目的：本考案により作製された▲低▼周波ヘルツ機能水が長期便秘の患者に対して明らかな▲緩▼和効果を有することを検証すること。
この実験の実際の参加者数は４２人で、実験に参加する便秘患者のスクリーニング基準は次の通りである。
１．年齢が３０歳から６０歳である。
２．便秘の症状が３年以上▲続▼く。このスクリーニング要件の目的は、食事の変更により便秘の症状が変▲化▼した実験者を除外することである。つまり、便秘の症状は３年以上▲経▼過しているため、実験▲結▼果に対する食事の影響はほとんど無視できる。
この実験は年齢に応じて２つのグループに分けられる。
１．３０〜４５歳の青年グループ、この▲組▼は合計１２人である。
２．４６〜６０歳の中高年層グループ、この▲組▼は合計３０人である。このグループは、便秘治療薬を服用しているかどうかによって２つのグループに分けられる。その内、２２人が段階的に薬を服用し、８人が便秘治療薬を服用してなかった。
この実験の条件と要件。
１．すべての参加者が医薬品、その他の栄養素、ヘルスケア製品を食べることは禁止されている。薬、栄養剤、ヘルスケア製品をすべて止めてから３日後、この実験に参加し始める。
２．日常的に飲料水を日常的に使用しており、その量は２０００ｍｌ以上であり、本出願人が試作したプロトタイプを用いて、その飲料水に３分以上超音波処理することにより、▲低▼周波ヘルツ機能水を作製する。
この実験は、次の３つの段階に分かれている。
実験の最初のフェーズでは、作製されたヘルツ機能水は、作製後６時間以内に飲み▲終▼わる必要がある。上記の実験条件と要件の第２条に従って、６日間持▲続▼し、便の数を記録する。
実験の第２フェーズでは、作製されたヘルツ機能水は、飲む前に作製された水を６時間▲置▼く必要があって、但し、１２時間以内に飲み▲終▼わる必要がある、６日間持▲続▼し、便の数を記録する。
実験の第３フェーズでは、全員がこの実験で提供されたヘルツ機能水を飲むのをやめ、６日間持▲続▼し、便の数を記録する。
【表１】
0003228852.tif 000003
実験の第１フェーズの▲結▼果の要▲約▼：４２人のうち、この実験ではヘルツ機能水を６日間飲み▲続▼いて、効果があると思う人の▲総▼数は３８人で、効果が明らかではないと思う人の数は４人である。９０．４８％が効果的であると見なされる。
【表２】
0003228852.tif 000004
第２段階の実験の▲結▼果の要▲約▼：第１段階では効果が明らかではないと考えている参加者はこの実験を▲終▼了した。残り３８人のうち、ヘルツの機能水を１２日間飲んでもらったところ、効果があると思われる人は３６人、効果が明らかではないと思う人は２人。実験における４２人の▲総▼数の計算によれば、８５．７１％が効果的であると考えられる。
第２段階の実験▲結▼果はまた、本考案によって作製されたヘルツ機能水が、作製後１２時間以内に依然として有効であることを証明している。時間が経つにつれて水は徐々に高分子クラスターの通常の状態に▲戻▼る可能性があるかもしれないが、この変▲化▼は準備から１２時間以内にこの実験の▲結▼果に大きな影響を▲与▼えることはない。
【表３】
0003228852.tif 000005
実験の第３フェーズの▲結▼果の要▲約▼：有効と見なされた残りの３６人のうち、第３段階の実験に参加した後、３５人が第３段階の実験に参加する前に大便の数に回復した。
第３段階の実験では、実験に参加した３６人の中で、便秘状態の明らかな▲緩▼和が、本考案のヘルツ機能水を継▲続▼的に飲むことと明らかに関連していることを示された。但し、本考案で作製した水を６日間飲まないようにすると、ほぼ全員が実験前の便秘状態に▲戻▼った。これは、本考案によって作製された水が便秘の症状を▲緩▼和することにおいて重要な役割を果たすだけであり、▲総▼有効率は８５．７１％であり、治療効果がないことを示している。
この実験は、飲料水を本考案で処理することによって得られたヘルツ機能水が便秘を効果的に▲緩▼和できることを示している。これは、本考案の処理水の分子クラスターのサイズが大きな変▲化▼を有し、ヘルツ機能水は油を溶解する能力が高くなり、人体に吸収されやすくなることを証明している。
人間の消▲化▼器系と消▲化▼プロセスは非常に複雑である。本考案の出願人は、対応する実験条件が▲将▼来利用可能になったときにさらに多くの実験を行い、本考案によって作製された水と便秘の▲緩▼和との間のより多くの真実を明らかにするよう努める。【００２２】  対比実験例二
この実験は、本考案によって作製されたヘルツ機能水が食器に残っている食用油を溶解する能力を検証する。水道水１０００ｍｌを取り、本考案の処理方法を用いて水道水に３分以上で処理する。使用済みの食器を取り、他の洗剤を使用せず、この実験では音波処理後に作製した水道水を使用し、食用油の残留物で食器を手で洗う。この実験では、油が非常に多い（非常に油っこい食品が入っている）ものと、油が少ない（野菜炒めなどの通常の炒め物が入っている）２種類の料理を選択して別々に洗浄した。
【表４】
0003228852.tif 000006
この実験は、本考案によって処理された水が油汚れを溶解する強力な能力を有することを示している。油汚れが少ない場合は、洗剤を使わずにお皿をきれいにできる。しかしながら、油汚れが多い場合、本考案の処理水はほとんどの油汚れを除去することができるが、それでも油汚れを洗浄するために少量の洗剤（例えば洗剤）を使用する必要がある。この実験は、本考案によるヘルツ機能水を作製する方法が強い溶解能力を有することを再度証明した。これは、本考案の処理方法が水分子クラスターを変▲化▼させることができることを示しており、水分子クラスターの変▲化▼により、水が油汚染を溶解する能力が大幅に向上する。
【産業上の利用可能性】
【００２３】  本考案は、便秘患者の症状を改善できるだけではなく、食器をきれいにし、環境を改善するために食器洗剤の使用量を減らすために使用することができる。
【符号の説明】
【００２４】Ａ    制御回路部
Ｂ    音波の送信部
Ｂ１  磁気コア
Ｂ２  コイル
Ｂ３  コイルプロテクター
Ｂ４  薄い鉄板
Ｂ５  電磁式スピーカー
【図１】
0003228852.tif 000007
【図２】
0003228852.tif 000008
【図３】
0003228852.tif 000009
【図４】
0003228852.tif 000010